【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
機体に備えられた作業装置を昇降駆動する昇降機構と、中立位置から第１方向及び中立位置から第１方向とは逆向きの第２方向に人為的に操作自在な人為操作具とを備えると共に、
前記人為操作具を第１方向に操作すると前記作業装置が予め設定された所定位置まで上昇するように前記昇降機構を作動させ、前記人為操作具を第２方向に操作すると前記作業装置が接地する接地位置まで下降するように前記昇降機構を作動させる第１制御手段と、
前記人為操作具を第１方向に操作し保持していると前記昇降機構を上昇側に作動させ、前記人為操作具を第２方向に操作し保持していると前記昇降機構を下降側に作動させて、前記人為操作具を中立位置に操作すると前記昇降機構を停止させる第２制御手段とを備えて、
前記第１制御手段を作動させる第１状態及び前記第２制御手段を作動させる第２状態に、人為的に設定可能な切換手段を備えてある作業車の作業装置昇降構造。
【請求項２】
前記人為操作具の先端部に備えられた押し操作スイッチにより、前記切換手段を構成してある請求項１記載の作業車の作業装置昇降構造。
【請求項３】
第１及び第２方向と交差する前記人為操作具の長手方向に沿って前記人為操作具を移動自在に構成して、前記人為操作具を長手方向に沿って移動操作することにより、前記切換手段が操作されるように構成してある請求項１記載の作業車の作業装置昇降構造。
【請求項４】
前記人為操作具の握り部を前記人為操作部の長手方向に沿う軸芯周りに回転自在に構成して、前記人為操作具の握り部を回転操作することにより、前記切換手段が操作されるように構成してある請求項１記載の作業車の作業装置昇降構造。
【請求項５】
機体に備えられた作業装置を昇降駆動する昇降機構と、中立位置から第１方向及び中立位置から第１方向とは逆向きの第２方向に人為的に操作自在な人為操作具とを備えると共に、
前記人為操作具を第１方向に連続的に２回操作すると前記作業装置が予め設定された所定位置まで上昇するように前記昇降機構を作動させ、前記人為操作具を第２方向に連続的に２回操作すると前記作業装置が接地する接地位置まで下降するように前記昇降機構を作動させる第１制御手段と、
前記人為操作具を第１方向に操作し保持していると前記昇降機構を上昇側に作動させ、前記人為操作具を第２方向に操作し保持していると前記昇降機構を下降側に作動させて、前記人為操作具を中立位置に操作すると前記昇降機構を停止させる第２制御手段とを備えてある作業車の作業装置昇降構造。
【請求項６】
機体に備えられた作業装置を昇降駆動する昇降機構と、中立位置から第１方向及び中立位置から第１方向とは逆向きの第２方向に人為的に操作自在な人為操作具とを備えると共に、
前記人為操作具を第１方向に操作し直ぐに中立位置に操作すると前記作業装置が予め設定された所定位置まで上昇するように前記昇降機構を作動させ、前記人為操作具を第２方向に操作し直ぐに中立位置に操作すると前記作業装置が接地する接地位置まで下降するように前記昇降機構を作動させる第１制御手段と、
前記人為操作具を第１方向に操作し保持していると前記昇降機構を上昇側に作動させ、前記人為操作具を第２方向に操作し保持していると前記昇降機構を下降側に作動させて、前記人為操作具を中立位置に操作すると前記昇降機構を停止させる第２制御手段とを備えてある作業車の作業装置昇降構造。
【請求項７】
機体に備えられた作業装置を昇降駆動する昇降機構と、中立位置から第１方向及び中立位置から第１方向とは逆向きの第２方向に人為的に操作自在な人為操作具とを備えると共に、
前記人為操作具を第１方向の所定位置を越えるまで操作すると前記作業装置が予め設定された所定位置まで上昇するように前記昇降機構を作動させ、前記人為操作具を第２方向の所定位置を越えるまで操作すると前記作業装置が接地する接地位置まで下降するように前記昇降機構を作動させる第１制御手段と、
前記人為操作具を第１方向の所定位置に操作し保持していると前記昇降機構を上昇側に作動させ、前記人為操作具を第２方向の所定位置に操作し保持していると前記昇降機構を下降側に作動させて、前記人為操作具を中立位置に操作すると前記昇降機構を停止させる第２制御手段とを備えてある作業車の作業装置昇降構造。
【請求項８】
前記人為操作具を第１方向の所定位置まで操作する際の操作抵抗よりも、前記人為操作具を第１方向の所定位置を越えて操作する際の操作抵抗を重いものに設定し、
前記人為操作具を第２方向の所定位置まで操作する際の操作抵抗よりも、前記人為操作具を第２方向の所定位置を越えて操作する際の操作抵抗を重いものに設定してある請求項７記載の作業車の作業装置昇降構造。
【請求項９】
機体に備えられた作業装置を昇降駆動する昇降機構と、中立位置から上及び下方向、中立位置から前及び後方向に人為的に操作自在な人為操作具とを備えると共に、
前記人為操作具を上方向に操作すると前記作業装置が予め設定された所定位置まで上昇するように前記昇降機構を作動させ、前記人為操作具を下方向に操作すると前記作業装置が接地する接地位置まで下降するように前記昇降機構を作動させる第１制御手段と、
前記人為操作具を前又は後方向のうちの一方に操作し保持していると前記昇降機構を上昇側に作動させ、前記人為操作具を前又は後方向のうちの他方に操作し保持していると前記昇降機構を下降側に作動させて、前記人為操作具を中立位置に操作すると前記昇降機構を停止させる第２制御手段とを備えてある作業車の作業装置昇降構造。
【請求項１０】
機体に備えられた作業装置を昇降駆動する昇降機構と、前側位置及び後側位置に操作自在で前側位置から上及び下方向、後側位置から上及び下方向に人為的に操作自在な人為操作具とを備えると共に、
前記人為操作具を前側又は後側位置のうちの一方に操作した状態で、前記人為操作具を上方向に操作すると前記作業装置が予め設定された所定位置まで上昇するように前記昇降機構を作動させ、前記人為操作具を下方向に操作すると前記作業装置が接地する接地位置まで下降するように前記昇降機構を作動させる第１制御手段と、
前記人為操作具を前側又は後側位置のうちの他方に操作した状態で、前記人為操作具を上方向に操作し保持していると前記昇降機構を上昇側に作動させ、前記人為操作具を下方向に操作し保持していると前記昇降機構を下降側に作動させて、前記人為操作具を前側又は後側位置のうちの他方に操作すると前記昇降機構を停止させる第２制御手段とを備えてある作業車の作業装置昇降構造。
【請求項１１】
機体の操向操作を行う操縦ハンドルの近傍に、前記人為操作具を備えてある請求項１〜１０のうちのいずれか一つに記載の作業車の作業装置昇降構造。
【請求項１２】
機体に備えられた作業装置を昇降駆動する昇降機構と、中立位置から第１方向及び中立位置から第１方向とは逆向きの第２方向に人為的に操作自在な人為操作具とを備えると共に、
前記人為操作具を第１方向に操作すると前記作業装置が予め設定された所定位置まで上昇するように前記昇降機構を作動させ、前記人為操作具を第２方向に操作すると前記作業装置が接地する接地位置まで下降するように前記昇降機構を作動させる制御手段を備えて、
前記人為操作具が第１方向に操作されて前記作業装置が上昇して予め設定された所定位置に達する前に前記人為操作具が第２方向に操作されると、前記昇降機構が停止され、
前記人為操作具が第２方向に操作されて前記作業装置が下降して接地位置に達する前に前記人為操作具が第１方向に操作されると、前記昇降機構が停止されるように構成してある作業車の作業装置昇降構造。
【請求項１３】
前記人為操作具が第１方向に操作されて前記作業装置が上昇して予め設定された所定位置に達する前に前記人為操作具が第２方向に操作されて前記昇降機構が停止された状態、並びに、前記人為操作具が第２方向に操作されて前記作業装置が下降して接地位置に達する前に前記人為操作具が第１方向に操作されて前記昇降機構が停止された状態において、
前記人為操作具が第１方向に操作されると、前記昇降機構により前記作業装置が上昇され、前記人為操作具が第２方向に操作されると、前記昇降機構により前記作業装置が下降されるように構成してある請求項１２に記載の作業車の作業装置昇降構造。
【請求項１４】
前記人為操作具が第２方向に操作されて前記作業装置が下降して接地位置に達する前に、前記人為操作具が再び第２方向に操作されると、前記作業装置に動力が伝達されて作業装置が作動を開始するように構成してある請求項１２又は１３に記載の作業車の作業装置昇降構造。